(57)【要約】【課題】サブディスプレイ装置をセカンドモニタとしての用途だけでなく、電子会議でのプレゼンテーションやディスカッション等に使用できるようにする。【解決手段】ポータブルサブディスプレイ装置１００に、ＡＤＣ部１１０とビデオデコード処理部１１１以外にシリアルＩ／Ｆ処理部１０１を追加装備し、またタブレット等のポインティングデバイス１０７も備えることで、電子会議において、電子配布物のビューア（ｖｉｅｗｅｒ）としての機能とディスカッション時に有用となる図形の編集機能を合わせて持たせることができ、セカンドモニタ以外にも活用範囲を広げることができるようにした。更に、ポータブルサブディスプレイ装置１００は、ノート型ＰＣよりも安価で軽量かつコンパクトにできることで、コスト面や携帯性に欠けるという問題点に対応できるようにした。【選択図】図１
2009105606.tif 000002
【特許請求の範囲】
【請求項１】
外部から送られてきたビデオ入力信号に基づくデジタル信号をＲＧＢ又はＹＵＶ形式に変換するビデオデコード処理部と、
外部から送られてきたストリームデータを伸張・復号しＲＧＢ又はＹＵＶ形式に変換するデコード処理部と、
カーソルの位置情報をグラフィック／テキストデータに変換するデータ処理部と、
前記デコード処理部又は前記ビデオデコード処理部から入力されたＲＧＢ又はＹＵＶ形式の信号により示される画像データに対し加工処理を施し、前記グラフィック／テキストデータと合成するビデオ処理部と
を具備する
サブディスプレイ装置。
【請求項２】
請求項１に記載のサブディスプレイ装置であって、
外部から送られてきたアナログビデオ入力信号をデジタル信号に変換して前記ビデオデコード処理部に提供するアナログ／デジタル変換部
を更に具備し、
前記ビデオデコード処理部は、前記アナログ／デジタル変換部から提供されたデジタル信号又は外部から直接入力されたデジタルビデオ入力信号をＲＧＢ又はＹＵＶ形式に変換する
サブディスプレイ装置。
【請求項３】
請求項１又は２に記載のサブディスプレイ装置であって、
前記ビデオ処理部は、
前記ビデオデコード処理部、前記デコード処理部又は前記データ処理部からの出力データを受け取って格納するビデオメモリと、
前記ビデオメモリに一定量のデータが溜まると、前記ビデオデコード処理部、前記デコード処理部又は前記データ処理部により発行されたリクエスト信号に応じて、前記ビデオメモリからデータを取り出して加工処理を行い、加工済みデータを前記ビデオメモリへ再度書き込み、前記加工済みデータが一定量溜まると、出力先にリクエスト信号を発行し前記加工済みデータを提供するビデオデータ処理部と
を具備する
サブディスプレイ装置。
【請求項４】
請求項３に記載のサブディスプレイ装置であって、
前記ビデオメモリは、格納されたデータを一時的に保持した後に破棄する
サブディスプレイ装置。
【請求項５】
請求項１乃至４のいずれか一項に記載のサブディスプレイ装置であって、
ポインティングデバイスによる入力データを前記カーソルの位置情報に変換して前記データ処理部に提供するセンサー
を更に具備する
サブディスプレイ装置。
【請求項６】
請求項１乃至４のいずれか一項に記載のサブディスプレイ装置であって、
外部からの入力データに基づき、前記カーソルの位置情報を取得して前記データ処理部に提供する外部インタフェース変換部
を更に具備する
サブディスプレイ装置。
【請求項７】
サブディスプレイ装置において、
（ａ）外部から送られてきたビデオ入力信号に基づくデジタル信号をＲＧＢ又はＹＵＶ形式に変換するステップと、
（ｂ）外部から送られてきたストリームデータを伸張・復号しＲＧＢ又はＹＵＶ形式に変換するステップと、
（ｃ）カーソルの位置情報をグラフィック／テキストデータに変換するステップと、
（ｄ）前記ビデオ入力信号に基づくデジタル信号及び前記ストリームデータから変換されたＲＧＢ又はＹＵＶ形式の信号により示される画像データに対し加工処理を施し、前記グラフィック／テキストデータと合成するステップと
を含む
サブディスプレイ通信方法。
【請求項８】
請求項７に記載のサブディスプレイ通信方法であって、
前記（ａ）ステップは、
（ａ１）外部から送られてきたアナログビデオ入力信号をデジタル信号に変換するステップと、
（ａ２）前記アナログビデオ入力信号から変換されたデジタル信号又は外部から直接入力されたデジタルビデオ入力信号をＲＧＢ又はＹＵＶ形式に変換するステップと
を含む
サブディスプレイ通信方法。
【請求項９】
請求項７又は８に記載のサブディスプレイ通信方法であって、
前記（ｄ）ステップは、
（ｄ１）前記ビデオ入力信号に基づくデジタル信号、前記ストリームデータ、及び前記グラフィック／テキストデータから変換されたＲＧＢ又はＹＵＶ形式のデータをビデオメモリに格納するステップと、
（ｄ２）前記ビデオメモリに一定量のデータが溜まると、受け取ったリクエスト信号に応じて、前記ビデオメモリからデータを取り出して加工処理を行い、加工済みデータを前記ビデオメモリへ再度書き込み、前記加工済みデータが一定量溜まると、出力先にリクエスト信号を発行し前記加工済みデータを提供するステップと
を含む
サブディスプレイ通信方法。
【請求項１０】
請求項７乃至９のいずれか一項に記載のサブディスプレイ通信方法であって、
（ｅ）外部から受け取ったデータ及び内部で処理されたデータを、内部で一時的に保持した後に破棄するステップと、
（ｆ）外部から受け取ったデータ及び内部で処理されたデータを、外部で管理するステップと
を更に含む
サブディスプレイ通信方法。
【請求項１１】
サブディスプレイ装置において、
（ａ）外部から送られてきたビデオ入力信号に基づくデジタル信号をＲＧＢ又はＹＵＶ形式に変換するステップと、
（ｂ）外部から送られてきたストリームデータを伸張・復号しＲＧＢ又はＹＵＶ形式に変換するステップと、
（ｃ）カーソルの位置情報をグラフィック／テキストデータに変換するステップと、
（ｄ）前記ビデオ入力信号に基づくデジタル信号及び前記ストリームデータから変換されたＲＧＢ又はＹＵＶ形式の信号により示される画像データに対し加工処理を施し、前記グラフィック／テキストデータと合成するステップと
をプロセッサに実行させるための
サブディスプレイ通信プログラム。
【請求項１２】
請求項１１に記載のサブディスプレイ通信プログラムであって、
前記（ａ）ステップは、
（ａ１）外部から送られてきたアナログビデオ入力信号をデジタル信号に変換するステップと、
（ａ２）前記アナログビデオ入力信号から変換されたデジタル信号又は外部から直接入力されたデジタルビデオ入力信号をＲＧＢ又はＹＵＶ形式に変換するステップと
を含む
サブディスプレイ通信プログラム。
【請求項１３】
請求項１１又は１２に記載のサブディスプレイ通信プログラムであって、
前記（ｄ）ステップは、
（ｄ１）前記ビデオ入力信号に基づくデジタル信号、前記ストリームデータ、及び前記グラフィック／テキストデータから変換されたＲＧＢ又はＹＵＶ形式のデータをビデオメモリに格納するステップと、
（ｄ２）前記ビデオメモリに一定量のデータが溜まると、受け取ったリクエスト信号に応じて、前記ビデオメモリからデータを取り出して加工処理を行い、加工済みデータを前記ビデオメモリへ再度書き込み、前記加工済みデータが一定量溜まると、出力先にリクエスト信号を発行し前記加工済みデータを提供するステップと
を含む
サブディスプレイ通信プログラム。
【請求項１４】
請求項１１乃至１３のいずれか一項に記載のサブディスプレイ通信プログラムであって、
（ｅ）外部から受け取ったデータ及び内部で処理されたデータを、内部で一時的に保持した後に破棄するステップと、
（ｆ）外部から受け取ったデータ及び内部で処理されたデータを、外部で管理するステップと
を更にプロセッサに実行させるための
サブディスプレイ通信プログラム。
【発明の詳細な説明】
【技術分野】
【０００１】
本発明は、サブディスプレイ装置に関し、特に電子会議対応双方向型ポータブルサブディスプレイ通信システムに使用されるサブディスプレイ装置に関する。
【背景技術】
【０００２】
現在、パーソナルコンピュータのサブディスプレイとしては、メインディスプレイと同等の液晶ディスプレイが用いられ、電子会議向けには大型ディスプレイ，プロジェクタや携帯端末等が用いられている。
【０００３】
例えば、関連する技術として、特開２００５−０４９９９３号公報（特許文献１）には、大型ディスプレイ及び複数の携帯端末を使用する電子会議向けシステムについて記載されている。各携帯端末はパーソナルコンピュータを利用しており、ＬＡＮ経由でホストのパーソナルコンピュータに接続する方式になっている。
【０００４】
しかし、この関連技術は、次のような問題点があった。
【０００５】
第１の問題点は、セキュリティの観点等から外来者はパーソナルコンピュータを持参できないケースもあり、ノート型ＰＣ（パーソナルコンピュータ）のような端末を、会議目的の備品として相当数用意しておくのは、資産の運用効率上無駄が多いということである。
【０００６】
第２の問題点は、電子会議における携帯端末として複数台のパーソナルコンピュータを用いると、会議参加者全員分の台数を揃える必要があるため、導入コストが高くなるということである。また、ノート型ＰＣといえどもコンパクト・軽量とは限らないため、持ち運ぶにしても難がある場合もある。
【０００７】
第３の問題点は、タブレット（ｔａｂｌｅｔ）のようなグラフィックデータを直感的に扱いやすい入力デバイスは、通常ＰＣには装備されておらず、ディスカッションする上で不便に感じることが多いということである。
【０００８】
【特許文献１】特開２００５−０４９９９３号公報
【発明の開示】
【発明が解決しようとする課題】
【０００９】
先に説明したように、既存の技術では、通常の液晶ディスプレイ装置をセカンドディスプレイとして利用していたため、画像の受信表示のみで、その他の用途に有効活用できないという問題点があった。更に、パーソナルコンピュータを持ち寄り、ネットワークを介して行う電子会議では、参加者の分だけＰＣを用意しておく必要があり、台数を揃える上でのコスト面や持ち運び時の携帯性にも欠けるという問題点もあった。本発明では、これらの問題点の解決を図る。
【課題を解決するための手段】
【００１０】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。但し、それらの番号を、［特許請求の範囲］に記載されている発明の技術的範囲の解釈に用いてはならない。
【００１１】
電子会議対応双方向型ポータブルサブディスプレイ通信システムは、用途として、ペーパーレスの電子会議向けの構成Ａと、セカンドモニタ使用時の構成Ｂとがある。
【００１２】
会議向けの構成Ａの場合、ポータブルサブディスプレイ装置（１００）と、パーソナルコンピュータ（２００）と、メインディスプレイ装置（３００）を備える。この場合、ポータブルサブディスプレイ装置（１００）は、ホストであるパーソナルコンピュータ（２００）からブロードキャスト配信されて来るビデオストリーム信号を受信して液晶画面に表示する。ビデオストリーム信号は、ポータブルサブディスプレイ装置（１００）にて、シリアルＩ／Ｆ（ｉｎｔｅｒｆａｃｅ）処理部（１０１）で受信される。シリアルＩ／Ｆ処理部（１０１）は、受信データを解析しビデオデータを取り出して、デコード処理部（１０２）に出力する。デコード処理部（１０２）は、圧縮されたビデオストリームを伸張・復号しＲＧＢ又はＹＵＶ形式に変換して、ビデオ処理部（１０３）に出力する。なお、ＲＧＢは、色を赤（Ｒ）・緑（Ｇ）・青（Ｂ）の３つの色の組み合わせとして表現する形式である。また、ＹＵＶは、輝度信号（Ｙ）と、輝度信号と青色成分の差（Ｕ）、輝度信号と赤色成分の差（Ｖ）の３つの情報で色を表す形式である。
【００１３】
また、セカンドモニタ使用時の構成Ｂの場合、ポータブルサブディスプレイ装置（１００）と、パーソナルコンピュータ（２００）と、メインディスプレイ装置（３００）を備える点では、会議向けの構成Ａの場合と同じである。この場合、ポータブルサブディスプレイ装置（１００）は、パーソナルコンピュータ（２００）から送られてくるデジタル又はアナログＲＧＢ信号を受信して液晶画面に表示する。デジタル又はアナログＲＧＢ信号は、ポータブルサブディスプレイ装置（１００）にて、直接又はＡＤＣ（Ａｎａｌｏｇ  Ｄｉｇｉｔａｌ  Ｃｏｎｖｅｒｔｅｒ）部（１１０）経由で、ビデオデコード処理部（１１１）により受信される。ビデオデコード処理部（１１１）は、受信データをＲＧＢ又はＹＵＶ形式に変換して、ビデオ処理部（１０３）に出力する。
【００１４】
ビデオ処理部（１０３）以降の処理は共通で、ビデオ処理部（１０３）は、入力された画像データに加工処理を施し、画像品質制御部（１０４）へ出力する。画像品質制御部（１０４）は、γ補正，コントラスト，シャープネスや色調補正等の画質調整を行い、その結果をディスプレイドライバ（１０５）に出力し、最終的に液晶ディスプレイ（１０６）に画像が表示される。
【００１５】
このとき、本発明に係るポータブルサブディスプレイ装置（１００）は、外部から送られてきたビデオ入力信号に基づくデジタル信号をＲＧＢ又はＹＵＶ形式に変換するビデオデコード処理部（１１１）と、外部から送られてきたストリームデータを伸張・復号しＲＧＢ又はＹＵＶ形式に変換するデコード処理部（１０２）と、カーソルの位置情報をグラフィック／テキストデータに変換するデータ処理部（１０９）と、デコード処理部（１０２）又はビデオデコード処理部（１１１）から入力されたＲＧＢ又はＹＵＶ形式の信号により示される画像データに対し加工処理を施し、データ処理部（１０９）からのグラフィック／テキストデータと合成するビデオ処理部（１０３）とを具備する。
【００１６】
また、本発明に係るポータブルサブディスプレイ装置（１００）は、外部から送られてきたアナログビデオ入力信号をデジタル信号に変換してビデオデコード処理部（１１１）に提供するアナログ／デジタル変換部（ＡＤＣ部）（１１０）を更に具備する。そして、ビデオデコード処理部（１１１）は、アナログ／デジタル変換部（１１０）から提供されたデジタル信号又は外部から直接入力されたデジタルビデオ入力信号をＲＧＢ又はＹＵＶ形式に変換する。
【００１７】
また、ビデオ処理部（１０３）は、ビデオデコード処理部（１１１）、デコード処理部（１０２）又はデータ処理部（１０９）からの出力データを受け取って格納するビデオメモリ（１０３１）と、ビデオメモリ（１０３１）に一定量のデータが溜まると、ビデオデコード処理部（１１１）、デコード処理部（１０２）又はデータ処理部（１０９）により発行されたリクエスト信号に応じて、ビデオメモリ（１０３１）からデータを取り出して加工処理を行い、加工済みデータをビデオメモリ（１０３１）へ再度書き込み、加工済みデータが一定量溜まると、出力先（１０４）にリクエスト信号を発行し加工済みデータを提供するビデオデータ処理部（１０３２）とを具備する。ビデオメモリ（１０３１）は、格納されたデータを一時的に保持した後に破棄する。
【００１８】
一方、ポータブルサブディスプレイ装置（１００）にはタブレット（ｔａｂｌｅｔ）等のポインティングデバイス（１０７）が装備され、ユーザ操作によりデータが出力される。センサー（１０８）は、ポインティングデバイス（１０７）に接続され、ポインティングデバイスからの出力データを位置情報のデータに変換し、データ処理部（１０９）に出力する。データ処理部（１０９）は、データフォーマットを整え、ビデオ処理部（１０３）とシリアルＩ／Ｆ処理部（１０１）へ出力する。ビデオ処理部（１０３）は、データ処理部（１０９）からの画像データを元のビデオ信号と合成し、画像品質制御部（１０４）へ出力する。シリアルＩ／Ｆ処理部（１０１）は、データ処理部（１０９）からのグラフィック／テキストデータをパーソナルコンピュータ（２００）へ送信し、パーソナルコンピュータ（２００）は、ポータブルサブディスプレイ装置（１００）からのデータを適宜処理して再配信する。
【００１９】
このようにして、本発明では、パーソナルコンピュータ（２００）からのビデオストリームやデジタル／アナログビデオ信号を、下りデータとしてポータブルサブディスプレイ装置（１００）で処理して液晶ディスプレイ（１０６）に表示する一方、ポインティングデバイス（１０７）からのグラフィック／テキストデータを、上りデータとしてホストのパーソナルコンピュータ（２００）へ送ることで双方向のコミュニケーションを実現できるので、セカンドモニタとしての用途以外に応用範囲を広げることができる。また、ポータブルサブディスプレイ装置（１００）は、構成がシンプルで軽量化や低コスト化を図りやすいので、利用範囲を広げ普及を促進することができる。
【００２０】
すなわち、本発明では、ポータブルサブディスプレイ装置（１００）に、ＡＤＣ部（１１０）とビデオデコード処理部（１１１）以外にシリアルＩ／Ｆ処理部（１０１）を追加装備し、またタブレット等のポインティングデバイス（１０７）も備えることで、電子会議において、電子配布物のビューア（ｖｉｅｗｅｒ）としての機能とディスカッション時に有用となる図形の編集機能を合わせて持たせることができ、セカンドモニタ以外にも活用範囲を広げることができるようにした。
【００２１】
更に、ポータブルサブディスプレイ装置（１００）は、ノート型ＰＣよりも安価で軽量かつコンパクトにできることで、コスト面や携帯性に欠けるという問題点に対応できるようにした。
【発明の効果】
【００２２】
第１の効果は、サブディスプレイ装置に、ビデオ信号の入力インタフェースとしてストリームデータとデジタル・アナログＲＧＢの２系統用意することにより、セカンドモニタとしてだけではなく電子会議でのポータブル端末としても利用できることである。また、サブディスプレイ装置は、表示専用のポータブル端末という位置づけで、会議資料はホストのパーソナルコンピュータで一元管理するため、セキュリティを守ることもできる。
第２の効果は、サブディスプレイ装置に、入力デバイスを装備することにより双方向でのコミュニケーションができるため、会議におけるディスカッション・ツールとして利用できることである。
第３の効果は、ノート型ＰＣと比べて不要な機能を省け、コンパクト，軽量，安価にサブディスプレイ装置を作成できるため、ポータブル性が高く普及も促進し易い。そのため、必要台数を設置することで会議における紙の配布資料をなくすことができ、印刷等の事前準備の手間の省略や、紙資源の節約を図ることもできる。
【発明を実施するための最良の形態】
【００２３】
以下に、本発明の第１実施例について添付図面を参照して説明する。
図１を参照して、本発明の第１実施例における電子会議対応双方向型ポータブルサブディスプレイ通信システム（以下、サブディスプレイ通信システム）について説明する。
このサブディスプレイ通信システムは、用途として、ペーパーレスの電子会議向けの構成Ａと、セカンドモニタ使用時の構成Ｂとがある。なお、構成Ａと構成Ｂを組み合わせることも可能である。
【００２４】
ペーパーレスの電子会議向けの構成Ａの場合、サブディスプレイ通信システムは、複数台のポータブルサブディスプレイ装置１００（１００−ｉ、ｉ＝１〜ｎ：ｎは装置数）と、ホストのパーソナルコンピュータ（ＰＣ）２００と、メインディスプレイ装置３００を備える。
【００２５】
セカンドモニタ使用時の構成Ｂの場合、サブディスプレイ通信システムは、１台のポータブルサブディスプレイ装置１００と、パーソナルコンピュータ（ＰＣ）２００と、メインディスプレイ装置３００を備える。
【００２６】
次に、図２を参照して、本実施例におけるポータブルサブディスプレイ装置１００の詳細な構成例について説明する。
ポータブルサブディスプレイ装置１００は、シリアルＩ／Ｆ（ｉｎｔｅｒｆａｃｅ）処理部１０１と、デコード処理部１０２と、ビデオ処理部１０３と、画像品質制御部１０４と、ディスプレイドライバ１０５と、液晶ディスプレイ１０６と、ポインティングデバイス１０７と、センサー１０８と、データ処理部１０９と、ＡＤＣ（Ａｎａｌｏｇ  Ｄｉｇｉｔａｌ  Ｃｏｎｖｅｒｔｅｒ）部１１０と、ビデオデコード処理部１１１を備える。
【００２７】
ペーパーレスの電子会議向けの構成Ａの場合、ポータブルサブディスプレイ装置１００は、外部インタフェースとしてシリアルＩ／Ｆ処理部１０１を使用し、ＵＳＢ（Ｕｎｉｖｅｒｓａｌ  Ｓｅｒｉａｌ  Ｂｕｓ）やＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）１３９４のような高速シリアルインタフェースを介してホストのパーソナルコンピュータ２００と接続され、ストリームデータ（ｓｔｒｅａｍ  ｄａｔａ、又は、ｖｉｄｅｏ／ｓｔｒｅａｍ  ｄａｔａ）が送られてくる。
【００２８】
セカンドモニタ使用時の構成Ｂの場合、ポータブルサブディスプレイ装置１００は、外部インタフェースとしてＡＤＣ部１１０及びビデオデコード処理部１１１を使用し、Ｄ−Ｓｕｂ（Ｄ−Ｓｕｂｍｉｎｉａｔｕｒｅ）１５ピンやＤＶＩ−Ｄ（Ｄｉｇｉｔａｌ  Ｖｉｓｕａｌ  Ｉｎｔｅｒｆａｃｅ  Ｄｉｇｉｔａｌ）のようなビデオインタフェースを介してパーソナルコンピュータ２００と接続され、デジタル又はアナログＲＧＢのビデオ信号（ｄｉｇｉｔａｌ／ａｎａｌｏｇ  ｖｉｄｅｏ）が送られてくる。なお、ＲＧＢは、色を赤（Ｒ）・緑（Ｇ）・青（Ｂ）の３つの色の組み合わせとして表現する形式である。
【００２９】
ストリームデータ入力信号（ｓｔｒｅａｍ  ｄａｔａ  ｉｎｐｕｔ）は、シリアルＩ／Ｆ処理部１０１へ入力される。シリアルＩ／Ｆ処理部１０１は、ストリームデータ入力信号から必要なデータを取り出した後、取り出されたデータ（ｒｘ＿ｄａｔａ）を後段のデコード処理部１０２へ出力する。デコード処理部１０２は、シリアルＩ／Ｆ処理部１０１にて取り出されたデータをＲＧＢ又はＹＵＶ信号（ＲＧＢ）に変換し、ＲＧＢ又はＹＵＶ信号をビデオ処理部１０３へ出力する。ここで、ＲＧＢ又はＹＵＶ信号とは、ＲＧＢ又はＹＵＶ形式の信号である。なお、ＹＵＶは、輝度信号（Ｙ）と、輝度信号と青色成分の差（Ｕ）、輝度信号と赤色成分の差（Ｖ）の３つの情報で色を表す形式である。図中では、便宜上、ＲＧＢ信号とＹＵＶ信号のいずれも「ＲＧＢ」として記載している。
【００３０】
アナログビデオ入力信号（ａｎａｌｏｇ  ｖｉｄｅｏ  ｉｎｐｕｔ）は、ＡＤＣ部１１０へ入力される。ＡＤＣ部１１０は、アナログビデオ入力信号をデジタル信号に変換した後、デジタル信号をビデオデコード処理部１１１へ出力する。ビデオデコード処理部１１１は、ＡＤＣ部１１０にて変換されたデジタル信号をＲＧＢ又はＹＵＶ信号に変換し、ＲＧＢ又はＹＵＶ信号をビデオ処理部１０３へ出力する。
【００３１】
また、デジタルビデオ入力信号（ｄｉｇｉｔａｌ  ｖｉｄｅｏ  ｉｎｐｕｔ）は、直接ビデオデコード処理部１１１へ入力される。ビデオデコード処理部１１１は、デジタルビデオ入力信号をＲＧＢ又はＹＵＶ信号に変換し、ＲＧＢ又はＹＵＶ信号をビデオ処理部１０３へ出力する。
【００３２】
ビデオ処理部１０３は、デコード処理部１０２又はビデオデコード処理部１１１から入力されたＲＧＢ又はＹＵＶ信号により示される画像データに対し拡大・縮小等の加工処理を施す。こうして加工処理を施された画像データを、次段の画像品質制御部１０４へ出力する。
【００３３】
画像品質制御部１０４は、画像データのガンマ補正，コントラスト，シャープネスや色調補正等の画像品質を整えて、データをディスプレイドライバ１０５に出力する。ディスプレイドライバ１０５は、液晶ディスプレイ１０６に画像を表示する。
【００３４】
一方、会議での使い勝手を考え、タブレット（ｔａｂｌｅｔ）のようなポインティングデバイス１０７を使用することも可能である。ここでは、ポインティングデバイス１０７は、ポータブルサブディスプレイ装置１００に予め内蔵されているものとする。但し、実際には、ポインティングデバイス１０７はタッチパネル（ｔｏｕｃｈ  ｐａｎｅｌ）でも良い。センサー１０８は、ポインティングデバイス１０７から入力されたデータを、カーソルの位置情報（ｐｏｓ＿ｄａｔａ）に変換し、データ処理部１０９へ出力する。データ処理部１０９は、カーソルの位置情報をグラフィックデータ又はテキストデータに変換し、変換されたデータ（ｔｘ＿ｄａｔａ）をシリアルＩ／Ｆ処理部１０１とビデオ処理部１０３に出力する。シリアルＩ／Ｆ処理部１０１は、データ処理部１０９からのデータに基づいて、グラフィック／テキストデータ出力信号（ｇｒａｐｈｉｃ／ｔｅｘｔ  ｄａｔａ  ｏｕｔｐｕｔ）をパーソナルコンピュータ２００へ出力する。また、ビデオ処理部１０３は、加工処理を施された画像データに対し、データ処理部１０９からのデータを合成する処理を行い、合成されたデータを、次段の画像品質制御部１０４へ出力する。なお、実際には、データ処理部１０９からのデータを合成するのは、加工処理を施される前の、デコード処理部１０２又はビデオデコード処理部１１１から入力されたＲＧＢ又はＹＵＶ信号により示される画像データでも良い。
【００３５】
次に、図３を参照して、本実施例におけるビデオ処理部１０３の詳細な構成例について説明する。
ビデオ処理部１０３は、ビデオメモリ１０３１と、ビデオデータ処理部１０３２と、ＯＳＤ（オンスクリーンディスプレイ）処理部１０３３を備える。
【００３６】
ビデオ処理部１０３の前段に当たるビデオデコード処理部１１１、デコード処理部１０２又はデータ処理部１０９からの出力データは、ビデオ処理部１０３に入力され、一旦（一時的に）ビデオメモリ１０３１に格納される。ビデオメモリ１０３１は、主記憶装置である。ビデオメモリ１０３１に一定量のデータが溜まると、ビデオデコード処理部１１１、デコード処理部１０２又はデータ処理部１０９は、ビデオデータ処理部１０３２へリクエスト（ｒｅｑｕｅｓｔ）を発行する。ビデオデータ処理部１０３２は、受け取ったリクエスト（ｒｅｑｕｅｓｔ）に応じて、ビデオメモリ１０３１からデータを取り出して加工処理を行い、その結果（加工済みデータ）をビデオメモリ１０３１へ再度書き込む。この加工済みデータが一定量溜まると、ビデオデータ処理部１０３２は、後段の画像品質制御部１０４へリクエスト（ｒｅｑｕｅｓｔ）を発行する。画像品質制御部１０４は、ビデオメモリ１０３１からデータを引き取り、画質の調整処理を行う。一方、ＯＳＤ処理部１０３３は、ビデオデータ処理部１０３２に接続され、ディスプレイにメニューやメッセージ等を表示するためのグラフィック／テキストデータを作成しており、必要に応じてグラフィック／テキストデータをビデオデータ処理部１０３２に出力する。
【００３７】
このとき、ビデオデコード処理部１１１、デコード処理部１０２又はデータ処理部１０９は、ビデオメモリ１０３１のデータ蓄積量を監視し、ビデオメモリ１０３１に一定量のデータが溜まると、ビデオデータ処理部１０３２へリクエスト（ｒｅｑｕｅｓｔ）を発行する。或いは、ビデオデコード処理部１１１、デコード処理部１０２又はデータ処理部１０９は、ビデオメモリ１０３１に一定量のデータが溜まると、ビデオ処理部１０３又はビデオメモリ１０３１から通知を受け、この通知に応じて、リクエスト（ｒｅｑｕｅｓｔ）を発行する。
【００３８】
なお、実際には、ビデオデータ処理部１０３２は、「ビデオメモリ１０３１に一定量のデータが蓄積された」、「ビデオデコード処理部１１１、デコード処理部１０２又はデータ処理部１０９により発行されたリクエスト（ｒｅｑｕｅｓｔ）を受信した」という条件を満たした際に、ビデオメモリ１０３１からデータを取り出して加工処理を行うようにしても良い。すなわち、ビデオデータ処理部１０３２は、事前にリクエスト（ｒｅｑｕｅｓｔ）を受信し、その後、ビデオメモリ１０３１に一定量のデータが蓄積されたことを検知した際に、ビデオメモリ１０３１からデータを取り出して加工処理を行うようにすることも可能である。
【００３９】
また、セキュリティ上、ビデオメモリ１０３１は、画像品質制御部１０４にデータを提供した後は、格納された全てのデータを破棄し、何も格納していない状態になることが好適である。すなわち、ビデオメモリ１０３１は、恒久的にデータを保持することなく、一時的にデータを格納した後に破棄する。また、ビデオメモリ１０３１に格納されたデータは、ポータブルサブディスプレイ装置１００の停止（電源ＯＦＦ）と共に失われる一時保存データである。ビデオメモリ１０３１に格納されたデータを消去する手段として、例えば、ビデオデータ処理部１０３２又は画像品質制御部１０４が、ビデオメモリ１０３１からデータを引き取ると同時に、引き取ったデータをビデオメモリ１０３１内から消去するようにすることが考えられる。或いは、画像品質制御部１０４へのデータの引渡し後、一定時間が経過すると、自動的にビデオメモリ１０３１内の全データを消去するようにしても良い。
【００４０】
以上、詳細に本実施例の構成例を述べたが、図１のＡＤＣ部１１０とビデオデコード処理部１１１は、Ｄ−Ｓｕｂ１５ピンやＤＶＩ−Ｄのデジタル又はアナログＲＧＢ信号に対応していれば良く、シリアルＩ／Ｆ処理部１０１は、ＵＳＢやＩＥＥＥ１３９４のような一般的な規格に則っていれば良い。また、図１のポインティングデバイス１０７については、当業者にとって良く知られており、また本発明とは直接関係しないので、その詳細な構成例の説明は省略する。ここでは、ポインティングデバイス１０７として、既存のポインティングデバイスを使用することを想定している。但し、実際には、既存のものでなくとも、本発明において使用することが可能なポインティングデバイスであれば良い。すなわち、センサー１０８が、そのポインティングデバイスから入力されたデータをカーソルの位置情報（ｐｏｓ＿ｄａｔａ）に変換できれば良い。
【００４１】
ここで、ポータブルサブディスプレイ装置１００内部の構成例における各部は、各部の機能が定義されたプログラムを実行するプロセッサ（ｐｒｏｃｅｓｓｏｒ）でも良い。このプログラムを、サブディスプレイ通信プログラムと呼ぶ。
【００４２】
次に、図４に示すシーケンスチャートを参照して、図１の構成Ａの場合のシステム動作について説明する。
（１）ステップＳ１０１
ホストであるパーソナルコンピュータ２００は、最初に元画像１を全てのポータブルサブディスプレイ装置１００へブロードキャスト配信し、各ポータブルサブディスプレイ装置１００は、受信した画像を液晶ディスプレイ上に表示する。
（２）ステップＳ１０２
また、パーソナルコンピュータ２００で元画像１に編集が施された場合、パーソナルコンピュータ２００は、編集後の元画像２を全てのポータブルサブディスプレイ装置１００へ同様に配信し、各ポータブルサブディスプレイ装置１００は、受信した画像を液晶ディスプレイ上に表示する。
（３）ステップＳ１０３
一方、ポータブルサブディスプレイ装置１００で元画像２が編集された場合、ポータブルサブディスプレイ装置１００は、ホストへの上りトラフィックの増加を防ぐため、追加されたデータのみをパーソナルコンピュータ２００へ送信する。パーソナルコンピュータ２００は、受信したデータ（追加されたデータ）と元画像２を合成した画像を仮画像として保存し、この仮画像を全てのポータブルサブディスプレイ装置１００へ配信する。
（４）ステップＳ１０４
パーソナルコンピュータ２００がデータ更新を行い、仮画像が元画像３として登録された場合、パーソナルコンピュータ２００は、元画像３を全てのポータブルサブディスプレイ装置１００へ再度配信する。ポータブルサブディスプレイ装置１００は、仮画像と元画像３を置き換える。或いは、仮画像を元画像３として扱う。なお、元画像の管理・保存は、ホストのパーソナルコンピュータ２００が行うものとする。
【００４３】
以下に、本発明の第２実施例について説明する。
本発明の第２実施例として、その基本的構成は上記の通り（第１実施例と同様）であるが、ポインティングデバイス周辺の構成について更に工夫している。
【００４４】
図５を参照して、本実施例におけるポータブルサブディスプレイ装置１００の詳細な構成例について説明する。
ポータブルサブディスプレイ装置１００は、シリアルＩ／Ｆ処理部１０１と、デコード処理部１０２と、ビデオ処理部１０３と、画像品質制御部１０４と、ディスプレイドライバ１０５と、液晶ディスプレイ１０６と、データ処理部１０９と、ＡＤＣ部１１０と、ビデオデコード処理部１１１と、外部Ｉ／Ｆ変換部１１２を備える。
【００４５】
ストリームデータ入力信号（ｓｔｒｅａｍ  ｄａｔａ  ｉｎｐｕｔ）は、シリアルＩ／Ｆ処理部１０１に入力される。シリアルＩ／Ｆ処理部１０１は、ストリームデータ入力信号から必要なデータを取り出した後、取り出されたデータ（ｒｘ＿ｄａｔａ）を後段のデコード処理部１０２へ出力する。デコード処理部１０２は、シリアルＩ／Ｆ処理部１０１にて取り出されたデータをＲＧＢ又はＹＵＶ形式に変換してビデオ処理部１０３へ出力する。
【００４６】
アナログビデオ入力信号（ａｎａｌｏｇ  ｖｉｄｅｏ  ｉｎｐｕｔ）は、ＡＤＣ部１１０に入力される。ＡＤＣ部１１０は、アナログビデオ入力信号をデジタル信号に変換した後、デジタル信号をビデオデコード処理部１１１へ出力する。ビデオデコード処理部１１１は、ＡＤＣ部１１０にて変換されたデジタル信号をＲＧＢ又はＹＵＶ形式に変換してビデオ処理部１０３へ出力する。
【００４７】
デジタルビデオ入力信号（ｄｉｇｉｔａｌ  ｖｉｄｅｏ  ｉｎｐｕｔ）は、ビデオデコード処理部１１１に入力される。ビデオデコード処理部１１１は、デジタルビデオ入力信号をＲＧＢ又はＹＵＶ形式に変換してビデオ処理部１０３へ出力する。
【００４８】
ビデオ処理部１０３へ出力された画像データは、ビデオ処理部１０３で加工を施され、画像品質制御部１０４で画質調整された後、ディスプレイドライバ１０５から液晶ディスプレイ１０６に出力される。
【００４９】
画像を表示するデータの流れは前述した第１実施例の通りの動作であるが、ポインティングデバイス１０７及びセンサー１０８の代わりに外部Ｉ／Ｆ変換部１１２が備えられており、入力デバイス自体は外付けとなっている。
【００５０】
外部Ｉ／Ｆ変換部１１２は、ＰＳ／２（Ｐｅｒｓｏｎａｌ  Ｓｙｓｔｅｍ／２）やＵＳＢにて外付けのポインティングデバイスに接続され、周辺インタフェースの変換処理を行い、カーソルの位置情報（ｐｏｓ＿ｄａｔａ）を取得している。このとき、外部Ｉ／Ｆ変換部１１２は、外部から直接カーソルの位置情報を受け取るようにしても良い。或いは、外部Ｉ／Ｆ変換部１１２が、ポインティングデバイスから入力されたデータを、カーソルの位置情報に変換するようにしても良い。このカーソルの位置情報は、前述の第１実施例と同様に、データ処理部１０９へと渡され、データ処理部１０９は、グラフィックデータ又はテキストデータに変換し、ビデオ処理部１０３とシリアルＩ／Ｆ処理部１０１に出力する。シリアルＩ／Ｆ処理部１０１は、それらのデータをパーソナルコンピュータ２００へ出力する。
【００５１】
このように、本実施例では、ポインティングデバイスを内蔵から外付けに変更しているため、ポータブルサブディスプレイ装置自体の製品単価を安くでき、更にコンパクト，軽量化を図れるという新たな効果が得られる。
【００５２】
なお、第１実施例において、ポインティングデバイス１０７及びセンサー１０８をポータブルサブディスプレイ装置１００の外部に設けることで、本実施例のようにすることができる。このとき、ポインティングデバイス１０７は、センサー１０８に接続する。センサー１０８は、外部Ｉ／Ｆ変換部１１２を介してポータブルサブディスプレイ装置１００に接続する。
【００５３】
以上のように、本発明の特徴は、パーソナルコンピュータのセカンドモニタとして用いられる液晶ディスプレイにおいて、画像データの入力処理機能を強化、及びポインティングデバイスによる入力手段を備え通信の双方向性を持たせることにより、サブディスプレイ装置をセカンドモニタとしての用途だけでなく、ホストのパーソナルコンピュータに接続することで電子会議でのプレゼンテーションやディスカッション等の実現が容易にできるようにしたことにある。また、本発明で使用するサブディスプレイ装置は、ノート型ＰＣと比べて安価でコンパクトかつ軽量にできることにより、サブディスプレイ装置だけを外して持ち運んだり、会議室に常時設置したりすることも実現し易くなったことにある。
【００５４】
本発明のサブディスプレイ装置では、入力ビデオ信号のインタフェースとして、ストリームデータとデジタル・アナログＲＧＢの２系統をサブディスプレイ装置に備え、セカンドモニタとしての通常用途の他に電子会議向け端末としても対応できるようにした。
【００５５】
また、サブディスプレイ装置をシンプルな構成にすることで、安価，コンパクト，軽量なデザインが可能になり、ノート型ＰＣに比べ、電子会議向け端末としての導入を図りやすく持ち運び易さも向上する。
【００５６】
また、ディスカッションのような双方向コミュニケーションにも容易に対応できるよう、タブレットのようなポインティングデバイスを装備し、その場で簡単な図表データの編集を行えるようにした。
【００５７】
更に、サブディスプレイ装置自体はパーソナルコンピュータと違い補助記憶装置を持たないため、会議において電子配布物のセキュリティを守る機能を付加した。
【図面の簡単な説明】
【００５８】
【図１】図１は、電子会議対応双方向型ポータブルサブディスプレイ通信システムの構成例を示すブロック図である。
【図２】図２は、第１実施例のポータブルサブディスプレイ装置の詳細な構成例を示すブロック図である。
【図３】図３は、ビデオ処理部の詳細な構成例を示すブロック図である。
【図４】図４は、ペーパーレスの電子会議向けの構成Ａの場合のシステム動作を示すシーケンス図である。
【図５】図５は、第２実施例のポータブルサブディスプレイ装置の詳細な構成例を示すブロック図である。
【符号の説明】
【００５９】
１００…  ポータブルサブディスプレイ装置
１０１…  シリアルＩ／Ｆ処理部
１０２…  デコード処理部
１０３…  ビデオ処理部
１０３１…  ビデオメモリ
１０３２…  ビデオデータ処理部
１０３３…  ＯＳＤ処理部
１０４…  画像品質制御部
１０５…  ディスプレイドライバ
１０６…  液晶ディスプレイ
１０７…  ポインティングデバイス
１０８…  センサー
１０９…  データ処理部
１１０…  ＡＤＣ部
１１１…  ビデオデコード処理部
１１２…  外部Ｉ／Ｆ変換部
２００…  パーソナルコンピュータ（ＰＣ）
３００…  メインディスプレイ装置
【図１】
2009105606.tif 000003
【図２】
2009105606.tif 000004
【図３】
2009105606.tif 000005
【図４】
2009105606.tif 000006
【図５】
2009105606.tif 000007